(57)【特許請求の範囲】
【請求項１】
伝送路を介して録画再生装置を操作する録画再生装置制御システムにおいて、
番組に関する情報を提供するサーバーと接続されたコンピュータネットワークと通信を行うネットワーク通信手段と、
操作指令を含むデータの送受信を行う通信手段と、
所望の番組を録画し再生する録画・再生手段と、
前記録画・再生手段により録画された録画情報を保存する録画情報記録媒体と、
を設けた録画再生装置と、
前記録画再生装置と通信を行う通信手段と、
前記録画再生装置を操作する録画再生装置制御手段と、
前記録画再生装置に対する使用者の操作指令を入力する操作入力手段と、
前記録画再生装置に関する情報を記録する記録手段と、
を設けたコンピュータと、から構成され、
前記ネットワーク通信手段により前記サーバーから前記録画再生装置に入力された前記番組に関する情報は、双方の通信手段を介して前記録画再生装置から前記コンピュータに入力される
ことを特徴とする録画再生装置制御システム。
【請求項２】
前記録画再生装置及び前記コンピュータの通信手段が、番組表並びに放送時間変更の情報を提供するサーバーと接続されたコンピュータネットワークと通信を行うネットワーク通信手段である
ことを特徴とする請求項１記載の録画再生装置制御システム。
【請求項３】
前記コンピュータは、さらに番組表並びに放送時間変更の情報を提供するサーバーと接続されたコンピュータネットワークと通信を行うネットワーク通信手段を有する
ことを特徴とする請求項１記載の録画再生装置制御システム。
【請求項４】
前記サーバーから前記録画再生装置に入力される前記番組に関する情報は、番組表並びに放送時間変更の情報である
ことを特徴とする請求項１記載の録画再生装置制御システム。
【請求項５】
前記録画再生装置は、さらに前記録画・再生手段を所定の時間に起動するための予約情報を記録する記録手段を有する
ことを特徴とする請求項１乃至４のいずれかに記載の録画再生装置制御システム。
【請求項６】
前記録画再生装置の前記録画情報記録媒体及び前記コンピュータの前記記録手段は、録画された録画情報に関する管理情報が記録されている
ことを特徴とする請求項５記載の録画再生装置制御システム。
【請求項７】
伝送路を介して受信した操作指令に従って処理を行う録画再生装置において、
番組に関する情報を提供するサーバーと接続されたコンピュータネットワークと通信を行うネットワーク通信手段と、
前記操作指令を含むデータの送受信を行う通信手段と、
所望の番組を録画し再生する録画・再生手段と、
前記録画・再生手段により録画された録画情報を保存する録画情報記録媒体と、
を備え、
前記ネットワーク通信手段により前記サーバーから入力された前記番組に関する情報を、前記通信手段を介して前記操作指令の送信元のコンピュータへ出力する
ことを特徴とする録画再生装置。
【請求項８】
伝送路を介して録画再生装置を制御するコンピュータにおいて、
前記録画再生装置と通信を行う通信手段と、
前記録画再生装置を操作する録画再生装置制御手段と、
前記録画再生装置に対する使用者の操作指令を入力する操作入力手段と、
前記録画再生装置に関する情報を記録する記録手段と、
を備え、
コンピュータネットワーク上のサーバーから前記録画再生装置に入力された番組に関する情報が、前記通信手段を介して入力される
ことを特徴とするコンピュータ。
【請求項９】
コンピュータから伝送路を介して録画再生装置を操作する録画再生装置制御方法において、
コンピュータネットワーク上のサーバーから前記録画再生装置に番組に関する情報が入力されるステップと、
前記サーバーから入力された前記番組に関する情報を、前記録画再生装置から前記伝送路を介して前記コンピュータへ入力するステップと、
前記コンピュータで、前記録画再生装置に対する使用者の操作指令を入力するステップと、
前記コンピュータが前記操作指令に応じて所定の処理を行うとともに前記録画再生装置に対する指令を生成するステップと、
前記録画再生装置に対する指令を前記伝送路を介して前記コンピュータから前記録画再生装置に送信するステップと、
前記録画再生装置で、前記コンピュータの指令を受信するステップと、
前記受信した指令に従って前記録画再生装置が録画再生処理を行うステップと、
を含むことを特徴とする録画再生装置制御方法。
【請求項１０】
コンピュータから伝送路を介して録画再生装置を操作する録画再生装置制御方法において、  前記コンピュータで、前記録画再生装置に対する使用者の操作指令を入力するステップと、
前記コンピュータが、前記操作指令に応じた録画予約情報とそれに対応する識別コードを記録手段に記録するステップと、
前記コンピュータが、前記記録手段に記録された前記録画予約情報とそれに対応する識別コードを、前記伝送路を介して前記録画再生装置に送信するステップと、
前記録画再生装置が、前記コンピュータから送信された前記録画予約情報に基づいて番組の録画を行うステップと、
前記録画再生装置が、録画した録画情報とともに前記録画予約情報に対応する識別コードを録画記録媒体に記録するステップと、
を含むことを特徴とする録画再生装置制御方法。
【請求項１１】
コンピュータから伝送路を介して複数の録画再生装置を操作する録画再生装置制御方法において、
前記コンピュータで、前記録画再生装置に対する使用者の操作指令を入力するステップと、
前記コンピュータが前記操作指令に応じて所定の処理を行うとともに指定された録画再生装置に対し録画情報を他の録画再生装置に出力させる指令を生成するステップと、
前記指定された録画再生装置に対する指令を前記伝送路を介して前記コンピュータから前記指定された録画再生装置に送信するステップと、
前記指定された録画再生装置で、前記コンピュータの指令を受信するステップと、
前記受信した指令に従って前記指定された録画再生装置は録画記録媒体に記録されている録画情報を前記他の録画再生装置に送信するステップと、
前記他の録画再生装置は、前記送信された録画情報を録画記録媒体に記録するステップと、
を含むことを特徴とする録画再生装置制御方法。
【発明の詳細な説明】
【０００１】
【発明の属する技術分野】
本発明は伝送路を介して録画再生装置を操作する録画再生装置制御システムに関し、特に録画予約と録画情報の編集や管理及びダビング編集等の録画再生装置の操作を容易にする録画再生装置制御システム、録画再生装置、コンピュータ及び録画再生装置制御方法に関する。
【０００２】
【従来の技術】
従来、録画再生装置には番組録画予約機能が設けられており、設定された時間になると設定されたチャンネルの番組が自動的に録画されるようになっていた。従来の番組録画予約の操作は、新聞や雑誌等に掲載されている番組表を参照して、所望の番組の録画開始時間と終了時間、及びチャンネルを入力するものであった。入力確認についても、わかりやすい番組名ではなく、番組の録画開始時間と終了時間とチャネルによって行っていた。また、設定した番組予約を行った番組が、なんらかの要因で放送時間が変更されてしまった場合、もう一度設定をやり直していた。
【０００３】
また、このような録画テープ等の管理は、使用者が、例えば番組名等の情報を書き込んだラベルを録画テープに貼付するなどして行っていた。パーソナルコンピュータを用いて録画テープの管理を行う場合であっても、番組名や録画時間等の情報は、使用者が入力している。
【０００４】
さらに、番組が録画された録画テープ等の編集を行う場合は、例えば、信号の入力先をテレビ受信機から他の録画再生装置へ手動で切り替えるなどして編集を行っていた。
【０００５】
【発明が解決しようとする課題】
しかし、従来の録画再生装置では、番組の予約及び録画情報の編集や管理のための操作が煩わしいという問題がある。
【０００６】
例えば、番組の予約においては、予約の操作は、わかりやすい番組名ではなく、録画開始時間と終了時間、及びチャンネルを入力して行うため、予約の入力にも確認にも手間がかかり、予約の間違いが絶えず発生していた。さらに、新聞や雑誌等に掲載されている番組表を参照して予約するため、放送時間が変更になった場合に対応することが難しいという問題がある。
【０００７】
また、このようにして録画した録画情報の管理においては、録画情報の記録等は、使用者の筆記等によって行われるため、使用者の負担が重く、誤記等のミスや、記録漏れが多いという問題がある。
【０００８】
さらに、録画再生装置の編集機能を用いて編集操作を行う場合、録画再生装置の録画情報の入力先や出力先の設定を変更するため、手動の接続先切り替えや、新たに配線接続を行うなどの煩わしい操作が必要であるという問題がある。
【０００９】
本発明はこのような点に鑑みてなされたものであり、録画再生装置の番組予約及び録画情報の編集や管理及びダビング編集といった録画再生装置の制御を容易にする録画再生装置制御システム、録画再生装置、コンピュータ及び録画再生装置制御方法を提供することを目的とする。
【００１０】
【課題を解決するための手段】
本発明では上記課題を解決するために、伝送路を介して録画再生装置を操作する録画再生装置制御システムにおいて、番組に関する情報を提供するサーバーと接続されたコンピュータネットワークと通信を行うネットワーク通信手段と、操作指令を含むデータの送受信を行う通信手段と、所望の番組を録画し再生する録画・再生手段と、録画・再生手段により録画された録画情報を保存する録画情報記録媒体と、を設けた録画再生装置と、録画再生装置と通信を行う通信手段と、録画再生装置を操作する録画再生装置制御手段と、録画再生装置に対する使用者の操作指令を入力する操作入力手段と、録画再生装置に関する情報を記録する記録手段と、を設けたコンピュータと、から構成され、ネットワーク通信手段によりサーバーから録画再生装置に入力された番組に関する情報は、双方の通信手段を介して録画再生装置からコンピュータに入力されることを特徴とする録画再生装置制御システム、が提供される。
【００１１】
このような構成の録画再生装置制御システムは、コンピュータで録画再生装置に対する使用者の操作指令が操作入力手段により入力され、これに従って録画再生装置制御手段が所定の処理を行い、録画再生装置に対する指令を生成し、通信手段により録画再生装置に送信する。この時の指令内容等必要な事項は、録画再生装置制御手段により記録手段に記録される。録画再生装置では、通信手段によりコンピュータからの指令を受信し、これに従って録画・再生手段によって録画再生処理が行われる。この時、録画・再生手段によって録画情報記録媒体への記録あるいは、録画情報記録媒体に記録された内容の読み出しが行われる。必要に応じて、読み出された情報は、通信手段によりコンピュータに送信される。また、ネットワーク通信手段によりサーバーから録画再生装置に入力された番組に関する情報は、双方の通信手段を介して録画再生装置からコンピュータに入力される。
【００１２】
また、コンピュータから伝送路を介して録画再生装置を操作する録画再生装置制御方法において、コンピュータネットワーク上のサーバーから録画再生装置に番組に関する情報が入力され、サーバーから入力された番組に関する情報を、録画再生装置から伝送路を介してコンピュータへ入力する。そして、コンピュータで、録画再生装置に対する使用者の操作指令を入力し、コンピュータが操作指令に応じて所定の処理を行うとともに録画再生装置に対する指令を生成し、録画再生装置に対する指令を伝送路を介してコンピュータから録画再生装置に送信する。そして、録画装置で、コンピュータの指令を受信し、受信した指令に従って録画再生装置が録画再生処理を行うことを特徴とする録画再生装置制御方法、が提供される。
【００１３】
このような手順の録画再生装置制御方法は、コンピュータで録画再生装置に対する使用者の操作指令を入力し、それに応じた処理が実行され、録画再生装置に指令が送信される。また、録画再生装置で指令を受信すると、それに従って録画再生処理が行われる。
【００１４】
【発明の実施の形態】
以下、本発明の実施の形態を図面を参照して説明する。
図１は、本発明の一実施の形態である録画再生装置制御システムの構成図である。本発明に係る録画再生装置制御システムは、相互に通信手段を有する録画再生装置１０とコンピュータ２０とから構成されている。また、必要に応じて、ネットワーク３０を介して、番組情報を提供する番組情報提供機関４０と接続している。
【００１５】
録画再生装置１０は、コンピュータ２０と通信を行うための通信手段１１、番組等の録画再生を行う録画・再生手段１３、録画再生される録画情報を記録する録画記録媒体１５、録画再生処理の予約等の処理情報を記録する記録手段１４、とから構成される。また、必要に応じてネットワーク３０と接続するネットワーク通信手段１２が設けられる。
【００１６】
通信手段１１は、コンピュータ２０と相互に通信を行う手段であり、専用の回線あるいは一般の公衆回線等である。また、通信手段１１を設けず、ネットワーク通信手段１２によりネットワーク３０を介して、コンピュータ２０と相互通信を行うことも可能である。ネットワーク通信手段１２は、ネットワーク３０を介して番組情報提供機関４０から、番組に関する情報を入手するための通信を行う手段である。また、場合によっては、コンピュータ２０とネットワーク３０を介して通信を行うこともできる。録画・再生手段１３は、通信手段１１あるいはネットワーク通信手段１２を介して送られてくる、コンピュータ２０からの操作指令あるいは番組情報提供機関４０からの情報に従って、録画再生処理を行う。記録手段１４は、録画・再生手段１３の処理に必要な情報が記録されるメモリである。録画記録媒体１５は、録画・再生手段１３によって、録画情報及び録画に関する情報の読み取りあるいは書き込みが行われる記録媒体であり、例えば録画テープ等である。
【００１７】
コンピュータ２０は、録画再生装置１０の制御を行う機器であり、録画再生装置１０と通信を行うための通信手段２１、伝送路を介して録画再生装置１０を遠隔操作する録画再生装置制御手段２３、録画再生装置１０の制御処理に関する情報を記録する記録手段２４、使用者の操作指令を入力する操作入力手段２５、操作情報あるいは録画再生装置に関する情報を使用者に表示する表示手段２６、及び必要に応じてネットワーク３０と接続するネットワーク通信手段２２とから構成される。
【００１８】
通信手段２１は、録画再生装置１０と相互に通信を行う手段であり、専用の回線あるいは一般の公衆回線等である。また、通信手段２１を設けず、ネットワーク通信手段２２によりネットワーク３０を介して、録画再生装置１０と相互通信を行ってもよい。ネットワーク通信手段２２は、ネットワーク３０を介して番組情報提供機関４０から、番組に関する情報を入手するための通信を行う手段である。また、場合によっては、録画再生装置１０とネットワーク３０を介して通信を行うこともできる。録画再生装置制御手段２３は、使用者の操作指令等に応じた処理を行うとともに、操作指令を通信手段２１あるいはネットワーク通信手段２２を介して録画再生装置１０に送信して、録画再生装置１０の遠隔操作を行う。また、同じ経路で録画再生装置１０の情報を読み出し、使用者に提供することも可能である。記録手段２４は、録画再生装置１０の制御に必要な情報、及び録画記録媒体の管理情報等が記録されているメモリである。操作入力手段２５は、使用者が録画再生装置１０に対して、番組の録画予約、及び録画情報の編集や管理等の指示を入力する手段であり、例えば、マウスやキーボード等である。表示手段２６は、操作入力手段２５による操作時等に、操作内容や録画再生装置１０の状態を表示する手段であり、例えばＣＲＴや液晶ディスプレイ等である。
【００１９】
ネットワーク３０は、録画再生装置１０とネットワーク通信手段１２を介して接続し、またコンピュータ２０とネットワーク通信手段２２を介して接続している。録画再生装置１０とコンピュータ２０間の相互通信を行ったり、ネットワーク３０上の番組情報提供機関４０を提供する、例えば、インターネット等のネットワークである。
【００２０】
番組情報提供機関４０は、番組に関する情報を提供するサーバーである。録画予約に必要な例えば、番組名、開始時刻、終了時刻、チャンネル等の情報、及び放送時間に変更があった場合の情報等を提供する。
【００２１】
このような構成の録画再生装置制御システムの動作及び録画再生装置制御方法について説明する。番組情報提供機関４０の提供する情報は、ネットワーク３０を経由して、ネットワーク通信手段２２によりコンピュータ２０に入力する。この情報は、ネットワーク通信手段１２を経由して録画再生装置１０に取り込まれ、通信手段１１、２１を経由してコンピュータ２０に入力することもできる。コンピュータ２０に入力した番組情報提供機関４０より入手した情報は、録画再生装置制御手段２３により記録手段２４に記録される。この情報は、番組表や番組の放送時間変更等の情報であり、必要に応じて表示手段２６で表示される。使用者が操作入力手段２５から操作指令を入力すると、指令の内容は録画再生装置制御手段２３により処理され、記録手段２４に記録されるとともに、通信手段２１、１１を経由して録画・再生手段１３に送られる。録画再生装置１０は、録画・再生手段１３に入力された指令を行い、録画記録媒体１５への情報の書き込み、あるいは録画記録媒体１５からの情報の読み出しを行う。また、必要に応じて、記録手段１４に情報が記録される。
【００２２】
次に、このような録画再生装置制御システムの構成例について説明する。図２は、本発明の一実施の形態である録画再生装置制御システムの構成例である。本発明に係る録画再生装置制御システムを構成する、録画再生装置１０ａ、１０ｂ、１０ｃ、１０ｄ、及びコンピュータ２０ａ、２０ｂ、２０ｄ、並びに番組情報提供機関４０がインターネット３１を介して接続している。
【００２３】
コンピュータ２０ａは、ネットワーク通信手段によりインターネット３１に接続しており、番組情報提供機関４０の提供する番組表及び放送変更情報をインターネット３１経由で入手し、専用の通信回線で接続された録画再生装置１０ａの制御を行う。
【００２４】
また、録画再生装置１０ｂは、ネットワーク通信手段によりインターネット３１に接続しており、番組情報提供機関４０の提供する番組表及び放送変更情報をインターネット３１経由で入手し、専用の通信回線で接続されたコンピュータ２０ｂに送信する。コンピュータ２０ｂは、専用回線で接続された録画再生装置１０ｂ、１０ｃの制御を行う。
【００２５】
また、録画再生装置１０ｄ、及びコンピュータ２０ｄはともにインターネット３１に接続している。コンピュータ２０ｄは、番組情報提供機関４０の提供する番組表及び放送変更情報をインターネット３１経由で入手し、インターネット３１を介して録画再生装置１０ｄを制御する。
【００２６】
さらに、必要に応じて、インターネット３１に接続された、コンピュータ、録画再生装置間で、相互通信を行うことも可能である。例えば、コンピュータ２０ａは、インターネット３１を介して録画再生装置１０ｄを制御することも可能である。
【００２７】
次に、本発明の一実施の形態である録画再生装置制御システムの詳細な動作を、番組録画予約及び録画再生装置の操作時について説明する。
まず、番組録画予約時の動作及び番組録画予約方法について説明する。図３は、本発明の一実施の形態である録画再生装置制御システムの番組録画予約時のデータの流れを示したブロック図である。
【００２８】
番組録画予約の場合、コンピュータ２０は、ネットワーク通信手段２２によりネットワーク３０を介し、番組情報提供機関４０から番組表を入手し、番組表を録画再生装置制御手段２３により記録手段に記録する。番組表の入手は、定期的に行われても、操作入力手段２５に番組録画予約の指令が入力した場合に行われてもよい。使用者が操作入力手段２５を用いて番組録画予約の操作開始を入力すると、番組表は記録手段２４から読み出されて表示手段２６に表示される。表示手段２６には、例えば、日時、番組名、チャンネル等の番組情報が表示される。使用者は、この番組表を参照して、例えば、表示された録画予約したい番組の番組名をマウスでクリックする等の操作をして、番組の録画予約を行う。入力された録画予約情報、例えば、予約された番組の日時、番組名、チャンネル、３倍／標準の録画モードは、録画再生装置制御手段２３により、記録手段２４に記録され、同時に通信手段２１、１１を経由して録画再生装置１０に送信される。録画再生装置１０は、録画・再生手段１３により、通信手段１１経由で受信した録画予約情報を記録手段１４に記録する。録画・再生手段１３は、指定された日時に、予約された番組を録画記録媒体１５に録画する。コンピュータ２０の記録手段２４に記録された録画予約情報は、いつでも表示手段２６で確認することができる。また、録画再生装置１０の記録手段１４に記録された録画予約情報も、通信手段１１、２１を経由して読み出すことにより、表示手段２６で確認できる。
【００２９】
録画予約及びその確認は、番組名、日時、チャンネル等の細かな番組情報が番組情報提供機関の情報をもとに表示手段２６に表示されるため、容易に登録および登録内容の確認ができる。また、録画再生装置１０及びコンピュータ２０は、通信手段１１、２１、あるいはネットワーク通信手段１２、２２、を有しているため、コンピュータ２０を用いて、録画再生装置１０と離れた場所から、遠隔操作によって、録画予約及びその確認を行うことができる。
【００３０】
また、番組の放送時間等に変更が発生した場合の録画予約自動変更について説明する。コンピュータ２０は、ネットワーク通信手段２２によりネットワーク３０を介し、番組情報提供機関４０から放送変更情報を入手する。録画再生装置制御手段２３は、放送変更情報を参照して、記録手段２４に記録された録画予約された番組に変更があったかどうかを調べる。録画予約された番組に変更があった場合には、変更情報に応じて録画予約情報を変更する。変更された録画予約情報は、記録手段２４に記録されるとともに、通信手段２１、１１を経由して録画再生装置１０に送信される。録画再生装置１０は、通信手段１１経由で受信した変更された録画予約情報により記録手段１４に記録された録画予約情報を更新する。そして、録画・再生手段１３は、変更された日時に、予約された番組を録画記録媒体１５に録画する。このように、本発明の一実施の形態である録画再生装置制御システムの録画予約自動変更では、一旦録画予約をしておけば、放送時間の変更があった場合であっても、変更内容に応じて自動的に録画予約が修正されるため、予約した番組を確実に録画することができる。また、放送予定変更時に、録画予約の変更を行う煩わしさがない。
【００３１】
次に、このようにして録画した録画情報の管理について説明する。登録された録画予約情報を記録手段２４に記録する際に、録画予約情報を特定するための識別コードを設定し、録画予約情報とともに記録する。この識別コードは、録画予約情報を録画再生装置１０に送信する場合にも同時に送られ、録画予約情報とともに記録手段１４に記録される。そして、録画・再生手段１３が予約された日時に録画記録媒体１５に指定された番組を録画する場合に、インデックス情報として識別コードが録画記録媒体１５に記録される。これにより、録画記録媒体１５に記録された内容は、その識別コードにより、対応する録画予約情報をコンピュータ２０の記録媒体２４から抽出することができる。このようにして、録画記録媒体１５に記録された内容の管理をコンピュータ２０で行うことができる。
【００３２】
上記説明では、録画予約情報に対応した識別コードを録画記録媒体１５に記録するとしていたが、録画・再生手段１３が予約された日時に録画記録媒体１５に番組を録画する時に、すべての録画予約情報を録画記録媒体１５に書き込むこともできる。
【００３３】
次に、録画再生装置の操作時の動作及び、その方法について説明する。図４は、本発明の一実施の形態である録画再生装置制御システムの録画情報編集や管理等、一般操作時のデータの流れを示したブロック図である。コンピュータ２０は、通信手段２１、１１ｂ、１１ｃを介して録画再生装置１０ｂと録画再生装置１０ｃと接続している。コンピュータ２０は、使用者が操作入力手段２５によって行う操作に応じて、録画再生装置制御手段２３が録画再生装置１０ｂ、１０ｃに対する指令を生成し、通信手段２１を介して該当する録画再生装置に指令を送信する。例えば、録画再生装置１０ｂに挿入された録画記録媒体１５ｂに記録された録画情報を編集して、録画再生装置１０ｃの録画記録媒体１５ｃに録画する場合、コンピュータ２０は、使用者の操作に従って、録画再生装置１０ｂの録画・再生手段１３ｂの読み出した録画記録媒体１５ｂに記録された録画情報を通信手段１１ｂ、１１ｃを経由して録画再生装置１０ｃへ送信する。録画再生装置１０ｃは、録画・再生手段１３ｃにより、送信された録画情報を録画記録媒体１５ｃに記録する。この時、転送される録画情報を、通信手段２１経由でコンピュータ２０に取り込み、表示手段２６に表示することもできる。
【００３４】
このように、本発明の一実施の形態である録画再生装置制御システムは、録画情報をコンピュータ２０で一括して処理することができるため、編集作業を容易にする。また、複数の装置を操作することで、高度な編集作業を実現する。さらに、録画再生装置１０ｂ、１０ｃ、及びコンピュータ２０は、通信手段１１ｂ、１１ｃ、２１、あるいはネットワーク通信手段（図示せず）を有しているため、コンピュータ２０を用いて、録画再生装置１０ｂ、１０ｃから離れた場所からの遠隔操作により、編集作業を行うことができる。上記の説明では、録画情報の編集について説明したが、その他の操作全般についても、同様に遠隔操作を行うことができる。
【００３５】
なお、上記の処理機能は、コンピュータによって実現することができる。その場合、録画再生装置制御システムが有すべき機能の処理内容は、コンピュータで読み取り可能な記録媒体に記録されたプログラムに記述しておく。そして、このプログラムをコンピュータで実行することにより、上記処理がコンピュータで実現される。コンピュータで読み取り可能な記録媒体としては、磁気記録装置や半導体メモリ等がある。市場を流通させる場合には、ＣＤ−ＲＯＭ(Compact Disk Read Only Memory) やフロッピーディスク等の可搬型記録媒体にプログラムを格納して流通させたり、ネットワークを介して接続されたコンピュータの記憶装置に格納しておき、ネットワークを通じて他のコンピュータに転送することもできる。コンピュータで実行する際には、コンピュータ内のハードディスク装置等にプログラムを格納しておき、メインメモリにロードして実行する。
【００３６】
【発明の効果】
以上説明したように本発明の録画再生装置制御システムでは、録画再生装置制御手段を有するコンピュータに録画再生装置に対する使用者の操作指令が入力されると、これに従って、指定された録画再生装置を一括して処理し、各録画再生装置に対する指令を通信手段により送信して、各録画再生装置の制御を行う。このため、録画再生装置の遠隔操作を行うことができる。また、コンピュータにおいて各種情報を表示することができるため、操作を容易に行うことができる。また、接続された録画再生装置間で一括処理を行う等、高度な操作が可能となる。
【００３７】
また、本発明の録画再生装置制御方法では、コンピュータで録画再生装置に対する使用者の操作指令を入力し、それに応じた処理が実行され、録画再生装置に指令が送信されて、録画再生装置の制御を行う。このため、伝送路を介して録画再生装置を遠隔操作することができ、録画再生装置の制御を容易に行うことができるようになる。また、複数台の録画再生装置を一括して処理することにより、高度な処理が可能となる。
【図面の簡単な説明】
【図１】本発明の一実施の形態である録画再生装置制御システムの構成図である。
【図２】本発明の一実施の形態である録画再生装置制御システムの構成例である。
【図３】本発明の一実施の形態である録画再生装置制御システムの番組録画予約時のデータの流れを示したブロック図である。
【図４】本発明の一実施の形態である録画再生装置制御システムの録画情報編集等、一般操作時のデータの流れを示したブロック図である。
【符号の説明】
１０・・・ 録画再生装置、１１通信手段、１２・・・ ネットワーク通信手段、１３・・・ 録画・再生手段、１４・・・ 記録手段、１５・・・ 録画記録媒体、２０・・・ コンピュータ、２１・・・ 通信手段、２２・・・ ネットワーク通信手段、２３・・・ 録画再生装置制御手段、２４・・・ 記録手段、２５・・・ 操作入力手段、２６・・・ 表示手段、３０・・・ ネットワーク、３１・・・ インターネット、４０・・・ 番組情報提供機関
【図１】
0004238391.tif 000002
【図２】
0004238391.tif 000003
【図３】
0004238391.tif 000004
【図４】
0004238391.tif 000005